(57)【要約】      （修正有）【課題】クレジットカード使用時に、加盟店側でクレジットカードの真贋に関して的確な判断を下すことができる偽造クレジットカード検査システムを提供する。【解決手段】クレジットカードで商品を購入する際、クレジットカード決済用加盟店端末１０１ａ〜１０１ｃに設置されたセンサにそのクレジットカードの当該箇所にあてスライドする。そして、当該箇所に記録された真贋認証情報を有線あるいは無線による専用回線または公衆回線通信ネットワーク１０４を介して認証サーバ１０２に送信することにより、認証サーバ１０２に真贋認証情報を解析させる。解析結果は、有線あるいは無線による専用回線または公衆回線通信ネットワーク１０４を介してクレジットカード決済用加盟店端末１０１ａ〜１０１ｃに送信され、その解析結果が偽造である場合、そのクレジットカードの決済は阻止される。【選択図】      図１
2004227537.tif 000002
【特許請求の範囲】
【請求項１】
クレジットカードに真贋認証情報を記録する手段と、有線及び無線通信ネットワークにそれぞれ接続されている認証サーバ及びクレジットカード決済用加盟店端末とから構成される偽造クレジットカード検査システムにおいて、
前記クレジットカード決済用加盟店端末に、前記クレジットカードに付された真贋認証情報を読取る手段と、当該真贋認証情報を前記認証サーバに送信する手段と、前記認証サーバから受信した解析結果を出力する手段とを備え、
前記認証サーバに、前記クレジットカード決済用加盟店端末から受信した前記真贋認証情報を解析する手段と、解析結果を前記クレジットカード決済用加盟店端末に送信する手段とを備えたことを特徴とする偽造クレジットカード検査システム。但し、前記クレジットカード決済用加盟店端末に外付けされた真贋認証情報専用端末によって、前記クレジットカードに付された真贋認証情報を読取る手段と解析結果を出力する手段の両方を備えてもよい。あるいは前記クレジットカード決済用加盟店端末自体に内蔵型の前記クレジットカードに付された真贋認証情報を読取る手段と解析結果を出力する手段の両方を備えてもよい
【請求項２】
請求項１に記載の偽造クレジットカード検査システムにおいて、前記クレジットカード決済用加盟店端末は、クレジットカード所有者個人情報を読取る手段と、当該クレジットカード所有者個人情報を前記認証サーバに送信する手段と、前記認証サーバによって所定の形式に変換された前記クレジットカード所有者個人情報を出力する手段とを備え、
前記認証サーバに、前記クレジットカード所有者個人情報を所定の形式に変換する手段、クレジットカード加盟店を特定する手段及びクレジットカードの使用日時等を記録する手段を備えたことを特徴とする偽造クレジットカード検査システム。
【請求項３】
請求項１又は請求項２に記載の偽造クレジットカード検査システムにおいて、
前記真贋認証情報を特定のインクで記録することを特徴とする偽造クレジットカード検査システム。
【請求項４】
請求項１乃至請求項３のいずれかに記載の偽造クレジットカード検査システムにおいて、
前記クレジットカード所有者個人情報を磁気テープで記録することを特徴とする偽造クレジットカード検査システム。
【請求項５】
請求項１乃至請求項４のいずれかに記載の偽造クレジットカード検査システムにおいて、
前記クレジットカード所有者個人情報をバーコードで記録することを特徴とする偽造クレジットカード検査システム。
【請求項６】
請求項１乃至請求項５のいずれかに記載の偽造クレジットカード検査システムにおいて、
前記クレジットカード所有者個人情報をＩＣチップで記録することを特徴とする偽造クレジットカード検査システム。
【請求項７】
請求項１乃至請求項６のいずれかに記載の偽造クレジットカード検査システムにおいて、
前記クレジットカード決済用加盟店端末によって読取られたクレジットカード真贋認証情報を前記認証サーバに送信し、その解析結果を前記認証サーバより受信した前記クレジットカード決済用加盟店端末において、真正クレジットカードと認証されない場合、前記クレジットカード決済用加盟店端末によって読取られ、認証サーバに送られたクレジットカード所有者個人情報正否如何にかかわらず、決済を阻止する手段を備えたことを特徴とする偽造クレジットカード検査システム。
【請求項８】
請求項１乃至請求項７のいずれかに記載の偽造クレジットカード検査システムにおいて、
前記クレジットカード決済用加盟店端末に外付けされた真贋認証情報専用端末によって、前記クレジットカードに付された真贋認証情報を読取る手段と解析結果を出力する手段の両方を備え、その解析結果と共に前記クレジットカード決済用加盟店端末によって読取られたクレジットカード所有者個人情報が認証サーバに送られる。しかしその解析結果が真正クレジットカードと認証されない場合、クレジットカード所有者個人情報の正否如何にかかわらず、その決済を阻止する手段を備えたことを特徴とする偽造クレジットカード検査システム。
【請求項９】
請求項１乃至請求項８のいずれかに記載の偽造クレジットカード検査システムにおいて、
前記クレジットカード決済用加盟店端末自体に内蔵型の、前記クレジットカードに付された真贋認証情報を読取る手段と解析する手段の両方を備え、その解析結果と共に前記クレジットカード決済用加盟店端末によって読取られたクレジットカード所有者個人情報が認証サーバに送られる。しかしその解析結果が真正クレジットカードと認証されない場合、クレジットカード所有者個人情報の正否如何にかかわらず、その決済を阻止する手段を備えたことを特徴とする偽造クレジットカード検査システム。
【発明の詳細な説明】
【０００１】
【発明の属する技術分野】
本発明は偽造クレジットカード検査システムに係り、より具体的には対面販売において、クレジットカード決済用加盟店端末を利用した偽造クレジットカード検査システムに関する。
【０００２】
【従来の技術】
ホログラムと呼ばれる画像が光のあたる角度で変化する立体写真技術を利用したシールをクレジットカードに貼付し、目視によって真贋を識別することが主流となっている。
また、不正利用検知システムと呼ばれるシステムはクレジットカード所有者のクレジットカード利用動向をデータベース化する事により、不正利用と思われる尋常でないクレジットカード利用形態が見られる場合、クレジットカード発行元である信販会社が直接クレジットカード所有者に連絡をとる事等により本人確認を行い、その不正利用を阻止する。
【０００３】
【発明が解決しようとする課題】
しかしながら、偽造技術の進歩によりホログラムを使用してのロゴマーク等シールの偽造は極めて容易であり、その効果は薄れ始めている。また、目で見て真贋を判断するため、類似した偽造シールが貼付されていればかえってそれが本物と判断されやすいという逆効果もある。
本発明は上記従来技術に鑑みて、対面販売におけるクレジットカード使用時に、その真贋の的確な判断を下し、磁気テープ、バーコード、ＩＣチップ等に記録されたクレジットカード所有者個人情報の正否如何にかかわらず、その使用を阻止する事のできる偽造クレジットカード検査システムを提供することを目的とする。
【０００４】
【課題を解決するための手段】
上記課題を解決するため、本発明による偽造クレジットカード検査システムは、クレジットカードに真贋認証情報を記録する手段と、有線もしくは無線通信ネットワークにそれぞれ接続されている認証サーバ及びクレジットカード決済用加盟店端末とから構成され、クレジットカード決済用加盟店端末に、クレジットカードに付された真贋認証情報を読取る手段と、当該真贋認証情報を認証サーバに送信する手段と、認証サーバから受信した解析結果を出力する手段とを備えた。また、認証サーバに、クレジットカード決済用加盟店端末から受信した真贋認証情報を解析する手段と、解析結果をクレジットカード決済用加盟店端末に送信する手段とを備えた。但し、前記クレジットカード決済用加盟店端末に外付けされた真贋認証情報専用端末によって、前記クレジットカードに付された真贋認証情報を読取る手段と解析結果を出力する手段の両方を備えてもよい。あるいは前記クレジットカード決済用加盟店端末自体に内蔵型の前記クレジットカードに付された真贋認証情報を読取る手段と解析結果を出力する手段の両方を備えてもよいまた、上記偽造クレジットカード検査システムは、クレジットカード決済用加盟店端末に、クレジットカード使用者個人情報を読取る手段と、当該クレジットカード使用者個人情報を認証サーバに送信する手段と、認証サーバによって所定の形式に変換されたクレジットカード所有者個人情報を出力する手段とを備え、認証サーバに、クレジットカード所有者個人情報を所定の形式に変換する手段と、変換後のクレジットカード所有者個人情報をクレジットカード決済用加盟店端末に送信する手段とを備える。
上記偽造クレジットカード検査システムでは、真贋認証情報を特定のインクで記録し、クレジットカード所有者個人情報においては磁気テープ、バーコード、及びＩＣチップのいずれか１つ、又はこれらの組合せで記録する。
【０００５】
【発明の実施の形態】
次に、図１乃至図４を参照して本発明による偽造クレジットカード検査システムの実施の形態を詳細に説明する。図１は本発明実施の形態のネットワーク構成図、図２乃至図４は本発明の実施の形態を説明するシーケンス図である。
【０００６】
（１）概要説明
まず最初に、本発明の実施の形態である偽造クレジットカード検査システムの概要を説明する。
図１において、１０１ａ〜１０１ｅはクレジットカード決済用加盟店端末である。１０１ａ〜１０１ｃは前記クレジットカードに付された真贋認証情報を読取る手段と、当該真贋認証情報を前記認証サーバに送信する手段と、前記認証サーバから受信した解析結果を出力する手段とを備えたクレジットカード決済用加盟店端末、１０１ｄはクレジットカード決済用加盟店端末に外付けされた真贋認証情報専用端末で、前記クレジットカードに付された真贋認証情報を読取る手段とそれを解析しその結果を出力する手段の両方を備え、１０１ｅは前記クレジットカードに付された真贋認証情報を読取る手段とそれを解析しその結果を出力する手段の両方を備えた内蔵型のクレジットカード決済用加盟店端末である。１０４は有線あるいは無線による専用回線または公衆回線通信ネットワーク、１０２は後述する認証処理を行う認証サーバである。
本システムでは、消費者がクレジットカードで商品を購入する際、加盟店がクレジットカードをクレジットカード決済用加盟店端末１０１ａ〜１０１ｃ、１０１ｄ及び１０１ｅに設置されたセンサにそのクレジットカードの当該箇所にあててスライドさせる。そして、クレジットカード決済用加盟店端末１０１ａ〜１０１ｃは当該箇所にそれぞれ記録された真贋認証情報とクレジットカード所有者個人情報を認証サーバ１０２に送信することにより、認証サーバ１０２に真贋認証情報の解析とクレジットカード所有者個人情報の照合、認証をさせる。
解析結果と照合、認証されたクレジットカード所有者個人情報は、専用回線または公衆回線通信ネットワーク１０４を介してクレジットカード決済用加盟店端末である真贋認証情報を読取る手段と認証サーバによって解析された結果を受信、出力する手段の両方を備えた１０１ａ〜１０１ｃに送信され、その解析結果により真正クレジットカードと認証された場合、照合、認証されたクレジットカード所有者個人情報に基づいて決済が行われる。しかしその解析結果により真正クレジットカードと認証されない場合、クレジットカード所有者個人情報正否如何にかかわらず、決済が阻止される。
但し、真贋認証情報を読取る手段と、それを解析しその結果を出力する手段の両方を備えた外付型１０１ｄあるいは内蔵型１０１ｅのクレジットカード決済用加盟店端末の場合は、その解析結果により真正クレジットカードと認証された場合、専用回線または公衆回線通信ネットワーク１０４を介して、その解析結果と共にクレジットカード所有者個人情報が認証サーバ１０２に送信され、照合、認証が行われる。照合、認証されたクレジットカード所有者個人情報は、専用回線または公衆回線通信ネットワーク１０４を介してクレジットカード決済用加盟店端末外付型１０１ｄあるいは内蔵型１０１ｅに返信され、そのクレジットカード所有者個人情報に基づいて決済が行われる。
またその解析結果により真正クレジットカードと認証されない場合も、専用回線または公衆回線通信ネットワーク１０４を介して、その解析結果と共にクレジットカード所有者個人情報が認証サーバ１０２に送信され不正使用のクレジットカード所有者個人情報として記録される。そして決済阻止の指示が専用回線または公衆回線通信ネットワーク１０４を介してクレジットカード決済用加盟店端末外付型１０１ｄあるいは内蔵型１０１ｅに返信され、その決済は阻止される。
【０００７】
（２）各種端末の機能構成
図１に示したクレジットカード決済用加盟店端末１０１ａ〜１０１ｅ、認証サーバ１０２の機能構成について説明する。認証サーバ１０２は、クレジットカード決済用加盟店端末１０１ａ〜１０１ｅから送信されてくる真贋認証情報の解析とクレジットカード所有者個人情報の照合を行い、その結果をクレジットカード決済用加盟店端末１０１ａ〜１０１ｅに送信するためのサーバである。認証サーバ１０２は、ＣＰＵを含む。ＣＰＵは、認証サーバ１０２で各種処理を行うとき演算処理を行う中央演算処理装置である。ＣＰＵには、ＲＯＭが接続されている。ＲＯＭは、認証サーバ１０２起動時に実行する基本入出力処理プログラムを格納するためのメモリである。また、ＣＰＵにはＲＡＭが接続されている。ＲＡＭは、ＣＰＵにおいて各種演算処理を実行するとき使用するプログラムやデータを一時的に格納するためのメモリである。
【０００８】
さらに、ＣＰＵには出力部が接続されている。出力部は、ＣＰＵにより演算処理されて得られた各種のデータをプリンタ等に出力するためのインターフェイスである。出力部には、上述したように、プリンタが接続されている。プリンタは、演算処理されて得られた各種の印刷データを紙などに印刷するものである。プリンタとしては、レーザープリンタ，インクジェットプリンタ，ドットプリンタ，熱転写型プリンタ等を使用することが可能である。なお、認証サーバ１０２において印刷しない場合には、必ずしもプリンタは接続されなくてもよい。
【０００９】
ＣＰＵには、画像処理部が接続されている。画像処理部は、ＣＰＵの演算処理結果に基づいて画面表示データを生成するものである。画像処理部で生成された画像表示データは、画像処理部に接続されたディスプレイにより適宜画面として表示される。なお、認証サーバ１０２における処理過程をモニタする必要がない場合には、必ずしもディスプレイが接続される必要はない。
また、ＣＰＵには、記憶装置が接続されている。記憶装置は、ＣＰＵが各種処理を実行するときに使用するプログラムやデータを記憶し、ＣＰＵが演算処理により生成したデータを記憶したりするためのものである。記憶装置には、データベース管理モジュール（図１の真贋認証情報データベース１０３ａ及びクレジットカード所有者個人情報データベース１０３ｂを管理するモジュール）が記憶されている。
【００１０】
クレジットカード決済用加盟店端末１０１ａ〜１０１ｃは、真贋認証情報送受信部を有する。
真贋認証情報送受信部は、クレジットカードに記録してある真贋認証情報を、クレジットカード決済用加盟店端末１０１ａ〜１０１ｃの加盟店番号等の端末識別情報とともに、認証サーバ１０２に送信する通信ポートである。真贋認証情報送受信部としては、クレジットカード決済用加盟店端末を併用する。
クレジットカード決済用加盟店端末１０１ｄは外付型、１０１ｅは内蔵型の真贋認証情報識別手段を有する。
【００１１】
（３）各種データベース・サーバの説明
認証サーバ１０２はその中にデータベース管理モジュールを有している。
データベース管理モジュールは、本システムで提供される各種サービスに必要な情報を格納したデータベースを管理している。ここでは、これらデータベースのうち、本実施の形態に特に関係するデータベースの説明を行う。
真贋認証情報データベース１０３ａ；真贋認証情報と、その真贋認証情報に対応する信販個社名、その提携先であるメジャーブランド名等が記憶されている。クレジットカード所有者個人情報データベース１０３ｂ；クレジットカード所有者個人情報と、クレジットカード決済用加盟店端末１０１ａ〜１０１ｅから受信したクレジットカード所有者個人情報の照合、認証情報及びその受信年月日等が記憶されている。
【００１２】
（４）クレジットカード決済用加盟店端末を使った偽造クレジットカード検査についての説明
４−１．第１の実施の形態（図２）
図２は本発明におけるクレジットカード決済用加盟店端末が真贋認証情報送受信部を有する第１の実施の形態を説明するシーケンス図である。
加盟店はクレジットカード決済用加盟店端末１０１ａのセンサ部にクレジットカードの当該箇所にあて、表裏両面あるいは片面の当該箇所に記録された真贋認証情報とクレジットカード所有者個人情報を読取る（Ｓ２０１）。
真贋認証情報を記録する形態としては、特殊インクによって印刷されたシールをクレジットカードに貼付する形態とクレジットカードに特殊インクで直接印刷する形態がある。
特殊インクの具体例としては、ジャニュガードインク（米・ジャニュワン社）等が考えられる。なお、ジャニュガードインクとは、インクの液体を構成する分子構造に固有のパターンを持たせ、クレジットカード発行信販個社別に異なる分子構造を持ったインクを使用することで、インク自体をクレジットカード発行信販個社別の真正クレジットカード証明手段とすることのできる技術である。
また、記録された真贋認証情報はクレジットカード発行信販個社別ロゴマークや社名等の形態でシールとして貼付、あるいは直接クレジットカードに印刷される。
クレジットカード所有者個人情報においては磁気テープ、バーコード及びＩＣチップのいずれか１つ、又はこれらの組合せで記録する
【００１３】
Ｓ２０２で読取った真贋認証情報及びクレジットカード所有者個人情報は有線あるいは無線による専用回線または公衆回線通信ネットワーク１０）によって認証サーバ１０２に送信される。
送信された真贋認証情報（Ｓ２０３）は真贋認証情報データベース（Ｓ２２１）で認証処理（Ｓ２０５）され、クレジットカード所有者個人情報（Ｓ２０４）はクレジットカード所有者個人情報データベース（Ｓ２２２）でクレジットカード所有者個人情報の照合、認証と変換処理（Ｓ２０６）が行われる。真贋認証情報の解析結果とクレジットカード所有者個人情報の照合、認証結果がクレジットカード決済用加盟店端末に返信される。その解析結果が真正である場合（Ｓ２０７）、そのクレジットカード所有者個人情報に基づきクレジットカード決済用加盟店端末によって決済処理が開始される（Ｓ２０９）。また、解析結果が真正でない場合（Ｓ２０８）、そのクレジットカード所有者個人情報の正否にかかわらずクレジットカード決済用加盟店端末によって決済が阻止される（Ｓ２１０）。
なお、ここでいう、クレジットカード所有者個人情報の変換処理とは、所定の形式（特殊インク、バーコード、磁気テープ、ＩＣチップ等）でクレジットカードに記録されたクレジットカード所有者個人情報を、別の形式（文字情報など）のクレジットカード所有者個人情報に変換することをいう。
【００１４】
４−２．第２の実施の形態（図３）
図３は本発明におけるクレジットカード決済用加盟店端末外付型１０１ｄの真贋認証情報を読取る手段とそれを解析しその結果を出力する手段の両方を備えた真贋認証情報用専用端末を使用して第２の実施の形態を説明するシーケンス図である。
【００１５】
加盟店はまずクレジットカード決済用加盟店端末１０１ｄの外付型真贋認証情報専用端末センサ部にクレジットカードの当該箇所をあて（Ｓ３０１）、表裏どちらか片面の当該箇所に記録された真贋認証情報を読取り・解析する（Ｓ３０２）。その解析結果が真正クレジットカードと認証された場合、さらにクレジットカード決済用加盟店端末センサ部に当該箇所をあて（Ｓ３０３）、クレジットカードの表裏どちらか片面の当該箇所に記録されたクレジットカード所有者個人情報を読取る（Ｓ３０４）。読取られたクレジットカード所有者個人情報は真正と認証された解析結果と共に、有線あるいは無線による専用回線または公衆回線通信ネットワーク１０４によって認証サーバ１０２に送信される。送信されたクレジットカード所有者個人情報（Ｓ３０５）はクレジットカード所有者個人情報データベース（Ｓ３２１）でクレジットカード所有者個人情報の照合、認証と変換処理（Ｓ３０７）が行われる。そしてクレジットカード所有者個人情報の照合結果がクレジットカード決済用加盟店端末に返信され（Ｓ３０８）、そのクレジットカード所有者個人情報に基づきクレジットカード決済用加盟店端末によって決済が処理される（Ｓ３１０）。
また、解析結果が真正クレジットカードと認証されない場合も、さらにクレジットカード決済用加盟店端末センサ部に当該箇所をあて（Ｓ３０３）、クレジットカードの表裏どちらか片面の当該箇所に記録されたクレジットカード所有者個人情報を読取る（Ｓ３０４）。読取られたクレジットカード所有者個人情報は真正と認証されない解析結果と共に、有線あるいは無線による専用回線または公衆回線通信ネットワーク１０）によって認証サーバ１０２に送信される。送信されたクレジットカード所有者個人情報（Ｓ３０６）はクレジットカード所有者個人情報データベース（Ｓ３２１）で不正使用されたクレジットカード所有者個人情報として記録されると同時に、決済阻止の指示が送信され（Ｓ３０９）、クレジットカード決済用加盟店端末によって決済が阻止される（Ｓ３１１）。
【００１６】
４−３．第３の実施の形態（図４）
図４は本発明における真贋認証情報を読取る手段とそれを解析しその結果を出力する手段の両方を備えた内蔵型のクレジットカード決済用加盟店端末を使用して第３の実施の形態を説明するシーケンス図である
【００１７】
加盟店はクレジットカード決済用加盟店端末１０１ｅのセンサ部にクレジットカードの当該箇所にあて（Ｓ４０１）、表裏両面あるいは片面の当該箇所に記録された真贋認証情報の読取り、解析とクレジットカード所有者個人情報の読取りが同時に行う（Ｓ４０２）。
真贋認証情報の解析結果が真正クレジットカードと認証された場合、同時に読取られたクレジットカード所有者個人情報は真正と認証された解析結果と共に、有線あるいは無線による専用回線または公衆回線通信ネットワーク１０４によって認証サーバ１０２に送信される。送信されたクレジットカード所有者個人情報（Ｓ４０３）はクレジットカード所有者個人情報データベース（Ｓ４２１）でクレジットカード所有者個人情報の照合、認証と変換処理（Ｓ４０５）が行われる。そしてクレジットカード所有者個人情報の照合結果がクレジットカード決済用加盟店端末に返信され（Ｓ４０６）、そのクレジットカード所有者個人情報に基づきクレジットカード決済用加盟店端末によって決済が処理される（Ｓ４０８）。また、解析結果が真正クレジットカードと認証されない場合も、同時に読取られたクレジットカード所有者個人情報は真正と認証されない解析結果と共に、有線あるいは無線による専用回線または公衆回線通信ネットワーク１０４によって認証サーバ１０２に送信される。送信されたクレジットカード所有者個人情報（Ｓ４０４）はクレジットカード所有者個人情報データベース（Ｓ４２１）で不正使用されたクレジットカード所有者個人情報として記録されると同時に、決済阻止の指示が返信され（Ｓ４０７）、クレジットカード決済用加盟店端末によって決済が阻止される（Ｓ４０９）。
【００１８】
以上、本発明の実施の形態を詳細に説明したが、本発明は上記説明に限定されないことは明らかである。例えば、図１に示すように本実施の形態では、認証サーバでクレジットカードの真贋判断、クレジットカード所有者個人情報の正否判断を行っているが、特殊インクで印刷されたシール等を他の製品に貼付あるいは特殊インクで直接印刷された製品の真贋鑑定が、本システムによって可能である。
【００１９】
【発明の効果】
このように、本発明の偽造クレジットカード検査システムによれば、クレジットカード使用時に、使用された加盟店で真贋の的確な判断を下すことができ、偽造クレジットカードの使用を未然に防ぎ、その摘発が可能となる。
【図面の簡単な説明】
【図１】本発明における実施の形態を説明するネットワーク構成図。
【図２】本発明における第１の実施の形態を説明するシーケンス図。
【図３】本発明における第２の実施の形態を説明するシーケンス図。
【図４】本発明における第３の実施の形態を説明するシーケンス図。
【符号の説明】
１０１ａ，１０１ｂ，１０１ｃ    加盟店端末
１０１ｄ，１０１ｅ              加盟店端末
１０２                          認証サーバ
１０３ａ                        真贋認証情報データベース
１０３ｂ                        クレジットカード所有者個人情報
データベース
１０４                          有線、無線通信ネットワーク
【図１】
2004227537.tif 000003
【図２】
2004227537.tif 000004
【図３】
2004227537.tif 000005
【図４】
2004227537.tif 000006